(57)【要約】【課題】紙葉類処理装置において、最後の１０００枚紙葉類処理時の端数を裁断処理する紙葉類処理装置。【解決手段】最後の１０００枚紙葉類が供給されたことが主制御部３１に対して通知されると、主制御部３１は、残留枚数が１００枚以上の場合、搬送制御部を「通常モード」に設定し、通常処理を行う。すなわち、正券は集積装置４０に集積され把Ｈが形成され、さらに、１０把積載された後に結束されて束が形成される。残留枚数が１００枚未満の場合、「正券モード」に設定し、続けて搬送される紙葉類Ｐの全てを集積装置に集積する。すなわち、集積装置に集積された集積枚数が１００枚に到達すると、当該１００枚紙葉類は結束され把Ｈが形成される。このとき「裁断モード」を設定し、続けて搬送される紙葉類Ｐは集積装置に集積せずに裁断処理する。この結果、集積装置に端数が残留しない。【選択図】図３
2008299819.tif 000002
【特許請求の範囲】
【請求項１】
紙葉類が処理単位ごとに一括して供給された供給部から１枚ずつ取出す取出手段と、この取出手段によって取出された前記紙葉類を搬送する搬送手段と、この搬送手段によって搬送された前記紙葉類を判別する紙葉類判別手段と、この判別手段による判別結果に基づいて正券を集積する集積手段と、損券を裁断する裁断手段と、を備えた紙葉類処理装置であって、
前記供給部に一括して供給された紙葉類が最後の処理単位の紙葉類であるとき、前記供給部に残留している紙葉類の残留枚数を算出する算出手段と、
この算出手段によって計数された前記残留枚数が第１の結束枚数を超える場合には、続けて搬送される前記紙葉類を通常処理する通常処理機能と、
前記残留枚数が前記第１の結束枚数に満たない場合には、続けて搬送される前記紙葉類を前記集積手段に集積する正券処理機能と、
この正券処理機能可動時に前記集積手段に集積された紙葉類の枚数が前記第１の結束枚数に達した場合には、続けて搬送される前記紙葉類を裁断手段で裁断する裁断処理機能と、
を備えたことを特徴とする紙葉類処理装置。
【請求項２】
前記通常処理機能は、
前記紙葉類判別手段による判別の結果、正券は前記集積手段に集積し、損券は、前記裁断手段で裁断する機能を有し、
前記正券処理機能は、
前記紙葉類判別手段による判別の結果、正券及び損券を前記集積手段に集積し、当該集積された紙葉類が前記第１の結束枚数に達した時には紙帯で結束することを特徴とする請求項１記載葉類処理装置。
【請求項３】
紙葉類が処理単位ごとに一括して供給された供給部から１枚ずつ取出す取出手段と、この取出手段によって取出された前記紙葉類を搬送する搬送手段と、この搬送手段によって搬送された前記紙葉類を判別する紙葉類判別手段と、この紙葉類判別手段による判別結果に基づいて正券を集積する集積手段と、損券を裁断する裁断手段と、前記搬送手段及び前記集積手段を制御する搬送制御部と、を備えた紙葉類処理装置の処理方法であって、
前記搬送制御部が前記主制御部に対して前記供給部に一括して供給された紙葉類が最後の処理単位の紙葉類であることを通知する第１工程と、
この第１工程に基づいて、前記主制御部が前記供給部に残留している紙葉類の残留枚数を算出する第２工程と、
この第２工程によって計数された前記残留枚数が第１の結束枚数を超える場合には、続けて搬送される前記紙葉類を処理する動作モードを通常モードに設定する第３工程と、
この第３工程で設定された動作モードを前記搬送制御部に通知する第４工程と、
この第４工程に基づいて、前記搬送制御部が前記搬送手段を通常搬送させる第５工程と、
この第５工程に基づいて搬送された前記紙葉類を前記集積部に集積する第６工程と、
この第６工程の結果、前記集積部に集積された紙葉類の残留枚数が前記第１の結束枚数に満たない場合には、続けて搬送される前記紙葉類を処理する動作モードを正券モードに設定する第7工程と、
この第7工程に基づいた処理が行われ、前記集積手段に集積された紙葉類の枚数が前記第１の結束枚数に達した場合には、続けて搬送される前記紙葉類を前記裁断手段で裁断する裁断モードに設定する第8工程と、
を備えたことを特徴とする紙葉類処理装置の処理方法。
【請求項４】
紙葉類が処理単位ごとに一括して供給された供給部から１枚ずつ取出す取出手段と、この取出手段によって取出された前記紙葉類を搬送する搬送手段と、この搬送手段によって搬送された前記紙葉類を判別する紙葉類判別手段と、この判別手段による判別結果に基づいて正券を集積する集積手段と、損券を裁断する裁断手段と、を備えた紙葉類処理装置であって、
前記供給部に一括して供給された紙葉類が最後の処理単位の紙葉類であるとき、前記供給部に残留している紙葉類の残留枚数を算出する算出手段と、
この算出手段によって計数された前記残留枚数が前記処理単位の枚数を超える場合には、続けて搬送される前記紙葉類を通常処理する通常処理機能と、
前記残留枚数が前記第１の結束枚数を超える場合には、続けて搬送される前記紙葉類を前記集積手段に集積する正券処理機能と、
この正券処理機能可動時に前記集積手段に集積された紙葉類の枚数が前記第１の結束枚数に達するごとに結束して把を形成する第１の結束手段と、
前記把を把集積部に積載する把集積手段と、
この把集積手段に積載された前記把が１０個に達するごとに結束して束を形成する第２の結束手段と、
前記把集積手段に積載された把が１０個に満たない場合には、続けて搬送される前記紙葉類を前記正券処理機能により処理し、前記把集積手段に積載された把が0個の場合には、続けて搬送される前記紙葉類を裁断する裁断処理機能と、
を備えたことを特徴とする紙葉類処理装置。
【発明の詳細な説明】
【技術分野】
【０００１】
本発明は、有価証券などの紙葉類を区分処理する紙葉類処理装置において発生した当該紙葉類の端数を自動裁断処理する紙葉類処理装置及びその処理方法に関する。
【背景技術】
【０００２】
有価証券などの紙葉類を処理する紙葉類処理装置は、処理単位に応じて一括して投入された紙葉類から取出装置によって紙葉類を１枚ずつ取出して搬送し、紙葉類判別装置によって紙葉類を判別し、その判別結果によって、当該紙葉類の種類判別、搬送方向判別、真偽判別（真券か、偽券か）及び正損判別（真券で再流通可能な正券か、真券で再流通不可能な損券か）を行い、正券、損券及び排除券に区分する。
【０００３】
このようにして区分された正券は、集積装置に搬送されて計数され、１００枚に達した紙葉類（１００枚紙葉類）ごとに結束装置に送られる。また、損券は、正券同様に集積装置で集積される場合と、再流通不可能なことから裁断装置によって裁断される場合がある。
【０００４】
結束装置は、１００枚を一塊として紙帯で結束して把を形成して放出する。また、このようにして形成された把は、１０把まとめてさらに紙帯で結束して束を形成する。
【０００５】
搬送される紙葉類は、上記真偽判別又は正損判別によって正券、損券又は排除券に区分されるため、処理単位に応じて一括して供給された紙葉類（例えば、１０００枚）から把又は束を形成した際には上記集積装置に端数が残留する。この端数を処理するために、従来は、業務終了時に券の整理処理を実施していた。
【０００６】
この整理処理とは、紙葉類処理装置を「整理モード」にして上記端数の計数処理を行う処理である。従って、この「整理モード」によって上記把がさらに形成され、把集積部に集積される。このようにして集積された把をそれまでに形成された把とまとめて１０把とし、手動で結束装置を起動して束を形成していた。この「整理モード」に関する一般的な方法が知られている（例えば、特許文献１参照。）。
【特許文献１】特開平９−２０４５５０号公報  （第４頁、図４）
【発明の開示】
【発明が解決しようとする課題】
【０００７】
しかしながら、特許文献１記載の紙葉類処理装置の「整理モード」では、上述した把の形成又は束の形成を手動で行わなければならず、さらに、「整理モード」で把にならない端数は手動で裁断していた。
【０００８】
本発明は、上記課題を解決するためになされたもので、紙葉類処理装置において、未処理残数を算出し、所定の枚数に達した場合には、搬送される紙葉類を自動的に切り替えて集積装置に集積して把を形成し、続けて搬送される紙葉類は直接裁断装置に搬送して裁断することにより端数が残留しないようにすることにより、業務終了後の「整理処理」の工程を削除することを目的とする。
【課題を解決するための手段】
【０００９】
上記目的を達成するために、本発明の請求項１記載の紙葉類処理装置は、紙葉類が処理単位ごとに一括して供給された供給部から１枚ずつ取出す取出手段と、この取出手段によって取出された前記紙葉類を搬送する搬送手段と、この搬送手段によって搬送された前記紙葉類を判別する紙葉類判別手段と、この判別手段による判別結果に基づいて正券を集積する集積手段と、損券を裁断する裁断手段と、を備えた紙葉類処理装置であって、前記供給部に一括して供給された紙葉類が最後の処理単位の紙葉類であるとき、前記供給部に残留している紙葉類の残留枚数を算出する算出手段と、この算出手段によって計数された前記残留枚数が第１の結束枚数を超える場合には、続けて搬送される前記紙葉類を通常処理する通常処理機能と、前記残留枚数が前記第１の結束枚数に満たない場合には、続けて搬送される前記紙葉類を前記集積手段に集積する正券処理機能と、この正券処理機能可動時に前記集積手段に集積された紙葉類の枚数が前記第１の結束枚数に達した場合には、続けて搬送される前記紙葉類を裁断手段で裁断する裁断処理機能と、を備えたことを特徴とする。
【００１０】
また、本発明の請求項３記載の紙葉類処理装置の処理方法は、紙葉類が処理単位ごとに一括して供給された供給部から１枚ずつ取出す取出手段と、この取出手段によって取出された前記紙葉類を搬送する搬送手段と、この搬送手段によって搬送された前記紙葉類を判別する紙葉類判別手段と、この紙葉類判別手段による判別結果に基づいて正券を集積する集積手段と、損券を裁断する裁断手段と、前記搬送手段及び前記集積手段を制御する搬送制御部と、を備えた紙葉類処理装置の処理方法であって、前記搬送制御部が前記主制御部に対して前記供給部に一括して供給された紙葉類が最後の処理単位の紙葉類であることを通知する第１工程と、この第１工程に基づいて、前記主制御部が前記供給部に残留している紙葉類の残留枚数を算出する第２工程と、この第２工程によって計数された前記残留枚数が第１の結束枚数を超える場合には、続けて搬送される前記紙葉類を処理する動作モードを通常モードに設定する第３工程と、この第３工程で設定された動作モードを前記搬送制御部に通知する第４工程と、この第４工程に基づいて、前記搬送制御部が前記搬送手段を通常搬送させる第５工程と、この第５工程に基づいて搬送された前記紙葉類を前記集積部に集積する第６工程と、この第６工程の結果、前記集積部に集積された紙葉類の残留枚数が前記第１の結束枚数に満たない場合には、続けて搬送される前記紙葉類を処理する動作モードを正券モードに設定する第７工程と、この第７工程に基づいた処理が行われ、前記集積手段に集積された紙葉類の枚数が前記第１の結束枚数に達した場合には、続けて搬送される前記紙葉類を前記裁断手段で裁断する裁断モードに設定する第８工程と、を備えたことを特徴とする。
【発明の効果】
【００１１】
本発明は、上記課題を解決するためになされたもので、紙葉類処理装置において、最後の処理単位の紙葉類が供給され、未処理残数が所定の枚数に達した場合には、搬送される紙葉類を集積装置に集積して端数がでないようにし、続けて搬送される紙葉類は直接裁断装置に搬送して裁断することにより、業務終了後の「整理処理」の工程を削除することができる。
【発明を実施するための最良の形態】
【００１２】
以下、図面を参照して本発明の実施例を説明する。
【実施例１】
【００１３】
図１は、本発明の実施例による紙葉類処理システム１００の外観図である。この紙葉類処理システム１００は、束処理機１、束搬送機２、紙葉類処理装置を備えた鑑査機３、排除券処理機４及び集中制御卓５から構成される。
【００１４】
束処理機１には未鑑査束が供給される。この供給された未鑑査束は、１００枚ごとに紙帯（小帯）で結束された把を１０把まとめて紙帯（大帯）で結束したもので、未鑑査状態のものをいう。この未鑑査束は、順番に取出されて束搬送機２で搬送され、本発明を適用した鑑査機３に供給される。
【００１５】
鑑査機３は、束搬送機２から供給された未鑑査束の大帯、小帯を切断する前処理装置（図示しない）、及びこの前処理装置で１枚ごとに分離された紙葉類は紙葉類処理装置（後述する）に供給される。
【００１６】
紙葉類処理装置は、供給された紙葉類を１枚ずつ取出して、搬送路（後述する）上を搬送する。このようにして搬送された紙葉類は、上記搬送路上に配置された紙葉類判別装置（後述する）によって判別され、正券、損券又は排除券に区分される。
【００１７】
排除券は、鑑査機３内部に配置された排除券集積装置に集積される。操作員は、集積された排除券を取出して排除券処理機４に供給する。排除券処理機４は、操作員による排除券の登録（券種、金額など）を行う装置であり、当該登録後、排除券を排除券処理機に供給することにより、装置によって計数、確認後登録される。
【００１８】
集中制御卓５は、上述した束処理機１、束搬送機２、鑑査機３及び排除券処理機４と接続され、当該装置によって処理された紙葉類の管理が行われる。
【００１９】
図２は、本発明の実施例による紙葉類処理装置３０の概略構成図である。紙葉類処理装置３０は、供給部３４、搬送部３５、紙葉類判別装置３６、排除券集積装置３７、裁断装置（裁断手段）３９、集積装置（集積手段）４０・４２、小帯結束装置４１・４３、大帯結束装置（図示しない）などから構成される。
【００２０】
上記紙葉類処理装置３０には、集積された紙葉類Ｐを一括して供給台３４Ａ供給する供給部３４が設けられている。この供給部３４に積載された紙葉類Ｐは、取出ロータ３４Bによって一定間隔で１枚ずつ取出され、搬送路３５に供給される。この搬送路３５は、搬送ローラと搬送ベルト（図示しない）で構成され、紙葉類Ｐを搬送方向上流から下流に向かって搬送する。
【００２１】
このようにして搬送ロータ３４Bによって供給部３４から供給された紙葉類Ｐは、紙葉類判別装置３６によって判別される。紙葉類判別装置３６は、紙葉類Ｐの物理的特性を検知して判別するもので、複数の装置で構成されており、搬送方向下流に向かって搬送路３５に設けられている。この紙葉類判別装置３６の判別結果に基づいて正券と判別された紙葉類Ｐを集積する集積装置（集積手段）４０・４２、損券と判別された紙葉類Ｐを裁断する裁断装置（裁断手段）３９、偽券又は排除券を集積する排除券集積装置３７が設けられている。
【００２２】
上記集積装置４０・４２及び排除券集積装置３７には、高速に搬送される当該紙葉類Ｐにダメージを与えないで集積するために搬送路３５・３５B・３５Cの終端と各集積装置の集積庫（図示しない）との間に集積羽根車（図示しない）が使用されている。従って、集積装置は、上記集積羽根車、集積庫及びこれらを動作させるのに必要な機能を一体とした場合の呼称である。
【００２３】
搬送制御部３２は、搬送される紙葉類Ｐの１枚ごとの搬送先を設定する。すなわち、搬送される紙葉類Ｐが排除券の場合には、分岐ゲートＧ０２によって排除券集積装置３７に集積される。
【００２４】
また、搬送される紙葉類Ｐが損券の場合、又は紙葉類Ｐが正券であっても裁断モードが設定されたために強制裁断する場合には、分岐ゲートＧ０３によって紙葉類Ｐを裁断装置３９側に搬送する。
【００２５】
上記集積装置４０には、上記紙葉類判別装置３６の判別の結果、正券と判別された紙葉類Ｐの最初の１００枚が集積される。すなわち、分岐ゲートＧ０４によって振り分けられた紙葉類Ｐは集積羽根車によって集積装置４０に集積される。
【００２６】
集積装置４０への１００枚目の通過と共に、分岐ゲートＧ０４によって紙葉類Ｐが集積装置４０に続けて集積されるのを防止すると共に、続けて搬送される１０１枚目以降の正券の紙葉類Ｐを集積装置４２に搬送する。
【００２７】
このようにして集積装置４０に集積された紙葉類は集積装置４０の下部に配置された結束装置４１に移動後、図示しない紙帯で結束され、把Ｈが形成される。同様に集積装置４２に集積された紙葉類Ｐは、結束装置４３に移動後、同様に紙帯で結束され、把Ｈが形成される。
【００２８】
図３は、本発明の実施例１に係る紙葉類処理装置３０の動作を説明する図である。
【００２９】
操作員が鑑査機３を起動すると、上述した前処理部において、１枚ごとの紙葉類に分離された紙葉類Ｐが供給部３４に供給される。供給された紙葉類Ｐは、１枚ごとに取出されて通常処理（通常モード）が行われる。この処理の結果、搬送制御部３２から最後の１０００枚紙葉類が供給されたことが主制御部３１に対して通知（３２ａ）される（第１工程）。
【００３０】
主制御部３１は、この通知（３２ａ）を受け、未処理残留枚数を確認する（Ｓ１）。この未処理残数は、供給台３４Ａに供給された紙葉類Ｐの枚数から取出ロータ３４Ｂによって取出された紙葉類Ｐの枚数を減算することによって残留枚数が算出される（第２工程）。この結果、残留枚数が１００枚以上である場合には（Ｓ１の「≧１００」）、「通常モード」が設定される（Ｓ２、第３工程）。
【００３１】
次に、主制御部３１は、設定された「通常モード」を搬送制御部３２に対して「モードセット」する（３１ａ、第４工程）。なお、この「モードセット」は、通知前のモードと同一の場合には通知の必要がなく、実施例ではそのように処理することにより、主制御部３１と搬送制御部３２との間の送受信を減少することができ、装置の系としてのパフォーマンスが向上する。
【００３２】
搬送制御部３２は、上記「通常モード」のモードセットに基づいて搬送路３５に対して紙葉類Ｐの取出し処理（スルー、Ｓ３０）を指示する。すなわち、通常搬送処理を行う（３２ｂ、第５工程）。また、主制御部３１に対して「スルー実施３２ｂ」を実施したことを通知する。この「スルー実施３２ｂ」の通知も上記「モードセット」同様、通知前の状態と同一の場合には通知の必要がない。
【００３３】
「通常モード」とは、主制御部３１の指示に基づいて、搬送制御部３２が通常処理機能を発揮している状態である。具体的には、紙葉類Ｐが取出装置３４によって取出され、上述した紙葉類判別装置３６の判別結果に基づいて正券、損券又は排除券に区分され、正券は集積装置４０又は４２に集積され（第６工程）、上述した方法に基づいて把Ｈが形成される。形成された把Ｈは、コンベア（図示しない）に渡され１０把になるまで積載された後に結束されて束が形成される。この一連の動作をいう。従って、この一連の動作の中で、紙葉類Ｐが処理されることにより残留枚数が減少する。
【００３４】
主制御部３１は、搬送制御部３２からの「スルー実施３２ｂ」の通知に基づき、ステップＳ１に戻って残留枚数を確認する（Ｓ１）。この確認の結果、１００枚未満の場合（Ｓ１の「＜１００」）、集積装置（集積装置）４０又は４２に集積された集積枚数を確認する（Ｓ３）。以下、集積装置として集積装置４０を用いた場合について説明する。
【００３５】
この集積装置の集積枚数確認の結果、集積装置に残留枚数が確認された場合（Ｓ３の「≠０」）、当該集積装置の集積枚数が１００枚未満の場合（Ｓ５の「＜１００」）、１００枚に到達するまで可能な範囲で集積を続けるために「正券モード」を設定する（Ｓ６、第7工程）。すなわち、この「正券モード」が設定された後に処理される未処理の紙葉類Ｐは上記紙葉類判別装置３６による損券の判別を行わず、その後搬送される紙葉類Ｐの全てを集積装置に集積する。従って、上述したスルー（Ｓ３０）を繰り返す。
【００３６】
この「正券モード」処理の結果、残留枚数が１００枚以下（Ｓ１の「＜１００」）で集積装置に集積された集積枚数が１００枚に達すると（１００枚紙葉類）、当該１００枚紙葉類は、結束装置４１に渡されて結束され、把Ｈが形成される。
【００３７】
この結果、集積装置に集積された紙葉類Ｐの枚数は０枚となり（Ｓ３の「＝０」）、続けて搬送される紙葉類Ｐを裁断処理するために「裁断モード」を設定する（Ｓ４、第８工程）。この「裁断モード」は、上述同様主制御部から搬送制御部３２通知される。
【００３８】
ここで搬送制御部３２は、搬送路３５の紙葉類Ｐが全て裁断装置３９に搬送されるように搬送路３５の分岐ゲートＧ０２を切換える。この結果、搬送される紙葉類Ｐは全て裁断装置３９によって裁断されて気送管（図示しない）により装置外に排出される。
【００３９】
また、上記把Ｈはコンベア（図示しない）によって左側に搬送され、大帯結束装置に渡される。
【００４０】
以上説明したように、本発明の実施例１では、「通常モード」での処理中に最後の１０００枚紙葉類の供給が行われた場合には、残留枚数が１００枚以上ある場合には通常処理が行われて把Ｈが形成されるが、１００枚未満になると、そのときに集積装置に集積されている端数が１００枚になるまで紙葉類判別装置の判別結果に係らず集積して把Ｈを形成し、その他の紙葉類Ｐを裁断装置によって裁断することにより集積装置に端数が残留しないようにすることができる。
【実施例２】
【００４１】
図４は、本発明の実施例２に係る紙葉類処理装置３０の動作を説明する図である。本実施例は、集積装置に紙葉類の端数が残留するのを防止するのではなく、大帯で結束される未結束の把が残留するのを防止することができる。
【００４２】
本実施例２は、図２に示す紙葉類処理装置３０は実施例１と同一であるため、その説明を省略する。また、図３に示す主制御部３１及び搬送制御部３２の間の通知に関する部分は共通であるため、その説明は省略する。
【００４３】
搬送制御部３２から最後の１０００枚紙葉類供給の通知を受けた搬送制御部３１は、残留枚数の確認をする（Ｓ１０）。この確認結果、残留枚数が１０００枚以上（Ｓ１０の「≧１００」）の場合、通常モードが設定される。
【００４４】
この「通常モード」により紙葉類の取出しが継続される。その結果、残留枚数が１０００枚未満になると（Ｓ１０の「＜１０００」）、集積装置の集積枚数を確認する（Ｓ１２）。
【００４５】
この集積装置の集積枚数確認の結果、集積枚数が１００枚（１００枚紙葉類）に達すると（Ｓ１２の「＝１００」）、把Ｈが形成される（Ｓ１４）。
【００４６】
このようにして形成された把Ｈは、上述したコンベアに渡されて積載される。この積載された把数を確認する（Ｓ１５）。この確認の結果、把Ｈが残留している場合（Ｓ１５の「≠０」）、把数が１０に達するまでさらに「正券モード」での処理が継続される（Ｓ１３）。
【００４７】
この処理の結果、把数が１０に達すると（Ｓ１７の「＝１０」）、１０把を大帯で結束して束を形成する。
【００４８】
ステップＳ１５において、把数が０（Ｓ１５の「＝０」）の場合、続けて搬送される把Ｈにより欠損束が形成されるのを防止するために、その後搬送される紙葉類を裁断するために「裁断モード」に設定する。この「裁断モード」が設定されると、その後搬送される紙葉類Ｐは裁断装置３９によって全数裁断される。
【００４９】
以上説明したように本発明の実施例２では、「通常モード」での処理中に最後の１０００枚紙葉類の供給が行われた場合には、残留枚数が１００枚以上ある場合には「正券モード」処理が行われて搬送される紙葉類は全て集積装置に搬送されて１００枚ごとに把Ｈが形成され、大帯結束のために積載される。このようにして積載された把Ｈの数が０の場合には、さらに把Ｈを形成すると欠損束が形成されるため、その後搬送される紙葉類は「裁断モード」に設定された後、全て裁断される。
【００５０】
以上説明したように実施例１又は実施例２共、紙葉類処理後の整理処理を行う必要がない。本発明では、通常最もよく利用される１００枚未満の残数処理及び１０００枚単位の残数把の整理処理に付いて説明したが、これに限るのではなく、例えば５００枚単位やその他の枚数で上記処理を行うこともできる。
【図面の簡単な説明】
【００５１】
【図１】本発明の実施例１による紙葉類処理システムの外観図。
【図２】図１に示す紙葉類処理装置の概略構成図。
【図３】本発明の実施例１に係る紙葉類処理装置の動作を説明する図。
【図４】本発明の実施例２に係る紙葉類処理装置の動作を説明する図。
【符号の説明】
【００５２】
Ｐ  紙葉類
Ｈ  把
３  鑑査機
３１  主制御部
３２  搬送制御部
３４  供給部
３４Ｂ  取出ロータ
３５  搬送部
３６  紙葉類判別装置
３７  排除券集積装置
３８  裁断装置
４０、４２  集積装置
４１、４３  小帯結束装置
【図１】
2008299819.tif 000003
【図２】
2008299819.tif 000004
【図３】
2008299819.tif 000005
【図４】
2008299819.tif 000006